(57)【特許請求の範囲】
【請求項１】
加熱ヒータを内部に有する加熱回転部材の表面に非接触状態で対向するように配置された温度検知手段の検知温度に基づいて、前記加熱ヒータの温度制御を行う定着装置の温度制御方法であって、
前記温度検知手段が前記加熱回転部材の目標制御温度Ｔｔ以上の温度Ｔｄを検知した場合に、その検知温度Ｔｄと前回の印刷停止から次の印刷開始までの停止時間とに基づいて補正温度Ｔｃを求め、次の印刷に必要な前記加熱ロールの目標制御温度Ｔｔに対して前記補正温度Ｔｃを加算して補正目標制御温度Ｔｔｃを求め、該補正目標制御温度Ｔｔｃとなるように温度制御を行った後に次の印刷を開始し、
前記定着装置における前記加熱回転部材の温度制御を、前記記録媒体の供給部から前記定着装置に至る搬送経路上にある印刷媒体の部分が定着される期間については、前記補正目標制御温度Ｔｔｃとなるように行い、その後、前記補正目標制御温度Ｔｔｃよりも低い前記目標制御温度Ｔｔになるように行い、
前記加熱回転部材の制御温度を前記補正目標制御温度Ｔｔｃから前記目標制御温度Ｔｔまで下げる際、前記加熱回転部材の表面の温度変化に対する前記温度検知手段の検知温度の時定数による遅延時間以上の間隔をもって段階的に前記制御温度を下げることを特徴とする定着装置の温度制御方法。
【請求項２】
請求項１の定着装置の温度制御方法において、
前記補正目標制御温度Ｔｔｃまでの加熱に必要な加熱時間Ｔｈより、印刷開始命令を受けてから印刷開始するまでの準備時間Ｔｐが長い場合、前記補正目標制御温度Ｔｔｃまでの加熱開始前に、前記準備時間Ｔｐに合わせた待ち時間ＴｗをＴｗ＝Ｔｐ−Ｔｈにより求め、印刷開始命令を受けてから前記待ち時間Ｔｗが経過した後に、前記加熱回転部材の加熱を開始することを特徴とする定着装置の温度制御方法。
【請求項３】
請求項１又は２の定着装置の温度制御方法において、
前記加熱回転部材の内部に、その加熱回転部材の回転軸方向における互いに異なる複数の領域をそれぞれ加熱するように前記加熱ヒータを複数備え、
前記複数の加熱ヒータそれぞれに対応させて前記加熱回転部材の表面に非接触状態で対向するように前記温度検知手段を複数配置し、
前記複数の温度検知手段それぞれについて、印刷媒体の搬送方向と直交する方向における幅の設定ごとに補正率を設定し、前記補正温度Ｔｃと前記補正率とに基づいて、前記複数の温度検知手段それぞれに対して前記補正目標制御温度Ｔｔｃを計算することを特徴とする定着装置の温度制御方法。
【請求項４】
加熱ヒータを内部に有する加熱回転部材と該加熱回転部材の表面に非接触状態で対向するように配置された温度検知手段とを有する定着装置をそれぞれ備えた第１の印刷装置及び第２の印刷装置を用いて、長尺に連続した記録媒体に対して画像を印刷可能な画像形成システムであって、
前記第１の印刷装置及び第２の印刷装置それぞれの定着装置について、前記温度検知手段が前記加熱回転部材の目標制御温度Ｔｔ以上の温度Ｔｄを検知した場合に、その検知温度Ｔｄと前回の印刷停止から次の印刷開始までの停止時間とに基づいて補正温度Ｔｃを求め、次の印刷に必要な前記加熱回転部材の目標制御温度Ｔｔに対して前記補正温度Ｔｃを加算して補正目標制御温度Ｔｔｃを求め、該補正目標制御温度Ｔｔｃとなるように温度制御を行った後に次の印刷を開始する制御手段を備え、
前記制御手段は、
前記第１の印刷装置の定着装置における前記加熱回転部材の温度制御を、前記記録媒体の供給部から前記第１の印刷装置の定着装置に至る搬送経路上にある印刷媒体の部分が定着される期間については、前記補正目標制御温度Ｔｔｃとなるように行い、その後、前記補正目標制御温度Ｔｔｃよりも低い前記目標制御温度Ｔｔになるように行い、
前記加熱回転部材の制御温度を前記補正目標制御温度Ｔｔｃから前記目標制御温度Ｔｔまで下げる際、前記加熱回転部材の表面の温度変化に対する前記温度検知手段の検知温度の時定数による遅延時間以上の間隔をもって段階的に前記制御温度を下げることを特徴とする画像形成システム。
【請求項５】
請求項４の画像形成システムにおいて、
前記制御手段は、前記補正目標制御温度Ｔｔｃまでの加熱に必要な加熱時間Ｔｈより、印刷開始命令を受けてから印刷開始するまでの準備時間Ｔｐが長い場合、前記補正目標制御温度Ｔｔｃまでの加熱開始前に、前記準備時間Ｔｐに合わせた待ち時間ＴｗをＴｗ＝Ｔｐ−Ｔｈにより求め、印刷開始命令を受けてから前記待ち時間Ｔｗが経過した後に、前記加熱回転部材の加熱を開始することを特徴とする画像形成システム。
【請求項６】
請求項４又は５の画像形成システムにおいて、
前記加熱回転部材の内部に、その加熱回転部材の回転軸方向における互いに異なる複数の領域をそれぞれ加熱するように前記加熱ヒータを複数備え、
前記複数の加熱ヒータそれぞれに対応させて前記加熱回転部材の表面に非接触状態で対向するように前記温度検知手段を複数配置し、
前記制御手段は、前記複数の温度検知手段それぞれについて、印刷媒体の搬送方向と直交する方向における幅の設定ごとに補正率を設定し、前記補正温度Ｔｃと前記補正率とに基づいて、前記複数の温度検知手段それぞれに対して前記補正目標制御温度Ｔｔｃを計算することを特徴とする画像形成システム。
【請求項７】
請求項４乃至６のいずれかの画像形成システムにおいて、
前記制御手段は、前記第２の印刷装置の定着装置における前記加熱回転部材の温度制御を、前記第１の印刷装置の定着装置から第２の印刷装置の定着装置までの搬送経路上にある印刷媒体の部分が定着される期間については、前記補正目標制御温度Ｔｔｃになるように行い、その後、前記補正目標制御温度Ｔｔｃよりも低い前記目標制御温度Ｔｔになるように行うことを特徴とする画像形成システム。
【発明の詳細な説明】
【技術分野】
【０００１】
本発明は、印刷媒体上に転写された画像を熱と圧力により印刷媒体上に定着する定着装置の温度制御方法及び画像形成システムに関するものである。
【背景技術】
【０００２】
従来より、電子写真式の画像形成装置において、印刷媒体上に転写されたトナー像を定着させる定着装置として、二本のローラ（加熱ロール、加圧ロール）を用いて印刷媒体上のトナー画像に熱および圧力を加えることにより定着する加熱加圧方式の定着装置が知られている。この定着装置は、加熱回転部材としての加熱ロールの内部に加熱ヒータを有し、加熱ロールの表面に対向して非接触状態で設置されたサーミスタが配置されている。そして、トナー像の定着に必要な目標制御温度とサーミスタの検出温度とを比較した結果に基づいて加熱ヒータをＯＮ／ＯＦＦ制御することにより、加熱ロールの定着領域の表面温度を制御している。長尺に連続した印刷媒体であるウェブに印刷する場合は、加熱ロールと加圧ロールとによってウェブが加熱加圧作用を付与されながら挟持搬送されることにより、ウェブ上のトナー像を溶融定着する。
【０００３】
また、長尺に連続した印刷媒体であるウェブに対して二つの印刷装置を用いる画像形成システムが知られている。この画像形成システムは、第１の印刷装置でウェブの表面に対して画像を定着し、ターンバーを通してウェブを反転させ、第２の印刷装置でウェブの裏面に対して画像を定着する。この画像形成システムでは、印刷停止時に、第１の印刷装置内の定着装置やターンバーの中に停止したウェブが収縮したり変形したりするおそれがある。次の印刷再開時にウェブの収縮や変形した部分が第２の印刷装置内の定着装置で定着される際、定着不良となってしまう。
【０００４】
上記定着不良を防止するために、特許文献１には、印刷開始から第１の印刷装置の定着装置と第２の印刷装置の定着装置との間にあるウェブが定着されるのに十分な時間、通常の印刷中の目標制御温度に補正温度を加算し、通常印刷時より加熱ロールの表面温度を高くすることで、定着不良を改善する制御方法が知られている（例えば、特許文献１参照）。
【０００５】
また、特許文献２には、印刷終了時の加熱ロールでの表面温度のオーバーシュートを低減する目的で、熱吸収ロール、或いはこれと併用して印刷停止とともに加熱ロールの表面温度を特定の温度まで強制冷却するエアーブロアを設ける構成が記載されている。
【発明の概要】
【発明が解決しようとする課題】
【０００６】
しかしながら、上記ウェブ上のトナー像を溶融定着する従来の定着装置の制御方法では、印刷を停止すると、加熱ロールと加圧ロールとが互いに離れてウェブが停止する。そのため、トナー像の定着に必要だった熱量が必要なくなり、一時的に加熱ロールの表面温度が急上昇する。この温度の急上昇現象は「オーバーシュート」と呼ばれている（例えば、特許文献２参照）。非接触式のサーミスタは、加熱ロールの周辺の空気を介して加熱ロールの表面温度を検出しているため、その検出に時定数があり、オーバーシュートの発生後はなかなかサーミスタの検出温度が下がらない。そのため、実際に加熱ロールの表面温度が低下し始めても、暫らくの間、高い検出温度を維持し続ける。
また、上記特許文献１に記載された制御方法では、通常印刷中より高い制御温度で印刷中に印刷が停止した場合、通常印刷中に印刷が停止した場合より大きなオーバーシュートが発生してしまう。その後、加熱ロールの表面温度が低下を始めても、サーミスタの検出温度は高いままほとんど変化しない。
このようにサーミスタの検出温度と実際の表面温度に差がある状態で次の印刷を実施すると、加熱ロールの表面温度が低いにもかかわらずサーミスタの検出温度が高いため、目標制御温度に補正温度を加算して求められた値よりも、サーミスタの検出温度が高いという状態となる。この場合、制御部は、加熱ヒータをオンすべき判断をせず、その結果、加熱ヒータはオンされない。このため、ウェブの印刷停止時に第１の印刷装置の定着装置やターンバーの中に停止していた部分に、熱量不足による定着不良が発生してしまうおそれがある。
【０００７】
本発明は以上の問題点に鑑みなされたものであり、その目的は、定着装置の加熱回転部材の表面温度のオーバーシュートが発生した後の印刷においても定着不良を防止できる定着装置の温度制御方法及び画像形成システムを提供することである。
【課題を解決するための手段】
【０００８】
上記目的を達成するために、本発明は、加熱ヒータを内部に有する加熱回転部材の表面に非接触状態で対向するように配置された温度検知手段の検知温度に基づいて、前記加熱ヒータの温度制御を行う定着装置の温度制御方法であって、前記温度検知手段が前記加熱回転部材の目標制御温度Ｔｔ以上の温度Ｔｄを検知した場合に、その検知温度Ｔｄと前回の印刷停止から次の印刷開始までの停止時間とに基づいて補正温度Ｔｃを求め、次の印刷に必要な前記加熱ロールの目標制御温度Ｔｔに対して前記補正温度Ｔｃを加算して補正目標制御温度Ｔｔｃを求め、該補正目標制御温度Ｔｔｃとなるように温度制御を行った後に次の印刷を開始することを特徴とするものである。
【発明の効果】
【０００９】
本発明によれば、印刷停止後に定着装置の加熱回転部材の表面温度のオーバーシュートが発生し、温度検知手段が加熱回転部材の目標制御温度Ｔｔ以上の温度Ｔｄを検知した場合に、検知温度Ｔｄと前回の印刷停止から次の印刷開始までの停止時間とに基づいて補正温度Ｔｃを求める。ここで、印刷停止後からの時間経過に伴って検知温度Ｔｄと加熱回転部材の表面温度との温度差が大きくなるが、この温度差を反映させるように上記補正温度Ｔｃを求めることができる。この温度差を反映した補正温度Ｔｃを、次の印刷に必要な前記加熱ロールの目標制御温度Ｔｔに対して加算して補正目標制御温度Ｔｔｃを求め、その補正目標制御温度Ｔｔｃとなるように温度制御を行った後に次の印刷を開始する。従って、次の印刷において、加熱回転部材の表面温度を定着に十分な表面温度に維持され、定着不良を防止できる。以上のように、本発明によれば、定着装置の加熱回転部材の表面温度のオーバーシュートが発生した後の印刷においても定着不良を防止できる。
【図面の簡単な説明】
【００１０】
【図１】本発明の一実施形態に係る温度制御方法を適用可能な加熱加圧方式の定着装置の概略構成を示す斜視図。
【図２】本実施形態の定着装置を備えた電子写真式の印刷装置の構成例を示す概略構成図。
【図３】複数の印刷装置を備えた画像形成システムの全体構成例を示す概略構成図。
【図４】本実施形態の画像形成システムにおける定着装置の温度制御の一例を示すフローチャート。
【図５】本実施形態の画像形成システムにおいて印刷を停止した後の加熱ロールの表面温度及びサーミスタの検出温度の推移を示した実験結果のグラフ。
【図６】本実施形態の画像形成システムにおける定着装置の温度制御の更に他の例を示すフローチャート。
【図７】本実施形態の画像形成システムにおける定着装置の温度制御の更に他の例を示すフローチャート。
【図８】本実施形態の画像形成システムにおける定着装置の一連の温度制御の流れを示すタイムチャート。
【発明を実施するための形態】
【００１１】
以下、図面を参照して本発明の実施形態を説明する。なお、いわゆる当業者は特許請求の範囲における本発明を変更・修正をして他の実施形態をなすことは容易であり、これらの変更・修正はこの特許請求の範囲に含まれるものであり、以下の説明は本発明を実施するための形態の例であって、この特許請求の範囲における本発明を限定するものではない。
【００１２】
図１は、本発明の一実施形態に係る温度制御方法を適用可能な加熱加圧方式の定着装置１０の概略構成を示す斜視図である。この定着装置１０は、後述の電子写真式の画像形成装置としての印刷装置に採用される。図１において、定着装置１０は、ウェブ７を吸引する図示しない吸引装置と、予熱手段としてのプレヒータ１２と、互いに接触対向するように配置された加熱回転部材としての加熱ロール１３及び加圧回転部材としての加圧ロール１４と、加熱ロール１３の表面の定着領域の温度を検知する温度検知手段としてのサーミスタ１７と、加熱ロール１３を加熱する加熱手段（熱源）としての加熱ヒータ１８と、を備えている。加圧ロール１４は、加熱ロール１３側に押付けられるように構成されており、加熱ロール１３との接触により加熱ロール１３の駆動回転に伴って、及び／又は、加熱ロール１３の回転によって搬送される印刷媒体の移動に伴って従動回転する。サーミスタ１７は、加熱ロール１３の回転軸方向における定着領域のフロント側、中央、リア側にそれぞれ対向して非接触状態で設置された複数（本実施形態では３つ）のサーミスタ１７Ａ，１７Ｂ，１７Ｃで構成されている。また、加熱ヒータ１８は、加熱ロール１３の内部に配設され、加熱ロール１３の回転軸方向における定着領域の全域にわたって加熱部を有する長加熱ヒータ１８Ｄと、上記複数のサーミスタ１７Ａ，１７Ｂ，１７Ｃそれぞれに対応する位置の加熱部を有する短加熱ヒータ１８Ａ，１８Ｂ，１８Ｃとで構成されている。定着装置１０は、後述の制御装置により、長尺に連続した連続印刷媒体（連続記録紙）であるウェブ７上に転写されたトナー像の定着に必要な目標制御温度と、各サーミスタ１７Ａ，１７Ｂ，１７Ｃの検出温度とを比較した結果に基づいて、各サーミスタ１７Ａ，１７Ｂ，１７Ｃに対応する短加熱ヒータ１８Ａ，１８Ｂ，１８Ｃと全域に対応する長加熱ヒータ１８ＤとをＯＮ／ＯＦＦ制御する。この制御により、加熱ロール１３の定着領域の表面温度を制御している。ウェブ７は、加熱ロール１３と加圧ロール１４とによって加熱加圧作用を付与されながら挟持搬送される。これにより、ウェブ７上のトナー像が溶融定着される。
【００１３】
図２は、上記構成の定着装置１０を備えた電子写真式の印刷装置１００の構成例を示す概略構成図である。この印刷装置１００は、後述の画像形成システムにおける複数の印刷装置１００Ａ，１００Ｂとして用いられる。画像形成システムの全体の印刷動作を制御する制御手段としての印刷制御装置（コントローラ）２１から印刷開始の指示を受けると、像担持体としての感光体１が回転を始める。感光体１は、印刷速度に相当する速度で表面が移動するように回転し、印刷動作が終了するまで回転を続ける。感光体１が回転を開始すると、帯電手段としての帯電器２に高電圧が付加され、感光体１の表面を、例えば正の電荷を付与して所定電位に均一に帯電する。半導体レーザや発光ダイオードなどで構成された光書込手段（潜像形成手段）としての光源３から出力されたレーザービーム４は、印刷制御装置（コントローラ）２１から送られてくるドットイメージに変換された文字データや図形データに基づいてオン／オフしながら感光体１上を走査して照射する。これにより、感光体１の表面に照射されて電荷が消失した部分と照射されない電荷がそのままの部分とが形成され、いわゆる静電潜像が形成される。
【００１４】
感光体１上の静電潜像は、例えば次のように現像されて顕像化されることにより、トナー像となる。現像手段としての現像装置５には画像形成物質としてのトナー６が供給されており、トナー６が例えば正の電荷を帯びるように攪拌されている。感光体１表面の静電潜像が現像装置５に対向する位置（現像領域）に到達すると、静電潜像の電荷が消失した部分に正の電荷に帯電したトナー６が静電気により吸着され、感光体１の表面にトナー像が形成される。
【００１５】
用紙やフィルム等で構成されるウェブ７は、紙送りローラなどからなる印刷媒体搬送手段としての搬送装置８により、トナー像がウェブ７を挟んで転写器９と対向する転写位置に到達するタイミングと同期して、感光体１と転写手段としての転写器９との間に向けて搬送される。転写器９は、搬送されてくるウェブ７に対してトナー像と逆極性の電荷を付与することで、感光体１上のトナー像をウェブ７上に転写させる。感光体１側の面にトナー像を転写されたウェブ７は、搬送ガイド部材としてのバッファプレート１６によって張力を付与されながら定着装置１０まで搬送される。
【００１６】
定着装置１０は、吸引装置１１、プレヒータ１２、加熱ロール１３、加圧ロール１４、搬送回転部材としてのプラー１５などを備える。吸引装置１１は内部のブロアを回転させることでウェブ７を吸引し、プレヒータ１２上に密着させる。プレヒータ１２は内部に熱源をもっており、ウェブ７は密着したプレヒータ１２によって予熱される。その後、ウェブ７は、印刷速度に相当する速度で回転し内部に熱源を持つ加熱ロール１３と、加熱ロール１３側に押付けられるようになっており、加熱ロール及び又はウェブ搬送により従動回転する加圧ロール１４とによって、加熱加圧作用を付与されながら挟持搬送され、トナー像がウェブ７上に溶融定着される。ウェブ７はトナー像を溶融定着された後、回転するプラー１５によって定着装置１０の外へ引き出される。
【００１７】
上記構成の印刷装置１００における制御は、印刷装置１００の内部に設けられた制御手段としての制御部２０で制御される。制御部２０は、プロセッサ（ＣＰＵ）、ＲＡＭやＲＯＭなどの記憶装置、外部とのＩ／Ｏインターフェースとして機能する通信装置などを有し、オペレータが操作する画像システム全体の制御手段としての印刷制御装置（コントローラ）２１から送られてくる印刷開始命令や印刷終了命令などに基づいて制御を行う。
【００１８】
図３は、複数の印刷装置１００（第１の印刷装置１００Ａ及び第２の印刷装置１００Ｂ）を備えた画像形成システムの全体構成例を示す概略構成図である。このこの画像形成システムは、第１の印刷装置１００Ａでウェブ７の第１の印刷面（おもて面）に対してトナー像を転写して定着させ、ターンバー１９を通してウェブ７を反転させ、第２の印刷装置１００Ｂでウェブ７の第２の印刷面（裏面）に対してトナー像を転写して定着させる。これにより、ウェブ７の表裏両面に画像を形成することができる。
【００１９】
上記構成の画像形成システムでは、ウェブ７への印刷を停止したときに、第１の印刷装置１００Ａ内の第１の定着装置１０Ａやターンバー１９の中に停止したウェブ７が収縮したり変形したりするおそれがある。次の印刷再開時にウェブ７の収縮や変形した部分が第２の印刷装置１００Ｂ内の第２の定着装置１０Ｂで定着される際、定着不良となってしまうおそれがある。
そこで、本実施形態では、加熱ロール１３の表面温度のオーバーシュート現象を考慮して上記定着不良を防止するために、以下に示すように第２の定着装置１００Ｂの温度制御方法を行っている。
【００２０】
［定着装置の温度制御例１］
図４は、上記構成の画像形成システムにおける定着装置の温度制御の一例（温度制御例１）を示すフローチャートである。
図４において、まず、ステップ４０１にて印刷が終了してウェブ７が停止すると、制御部２０は、サーミスタ１７の制御温度を、非印刷中の目標制御温度である第１制御温度に設定し、印刷停止時間のカウントを開始する。
次に、ステップ４０２にて制御部２０が印刷制御装置（コントローラ）２１から印刷開始の命令を受けると、サーミスタ１７の制御温度を、印刷中の目標制御温度である第２制御温度に設定する。第２制御温度は通常、第１制御温度に対して加熱ロール１３の定着領域におけるウェブ７の通過部にあたるサーミスタ１７に対して、＋１℃程度加算された制御温度である。例えば、図１の構成例に示すように、温度検知手段として３つのサーミスタ１７Ａ，１７Ｂ，１７Ｃを有する定着装置１００で、サーミスタ１７Ａ及びサーミスタ１７Ｂそれぞれが対向している位置がウェブ７の通過部にあたる場合、サーミスタ１７Ａ及びとサーミスタ１７Ｂそれぞれの制御温度に対して、＋１℃程度加算される。また、印刷開始命令時のサーミスタ１７の検出温度を、温度データＴｄとして記憶する。
【００２１】
次に、ステップ４０３にて、制御部２０は、第２制御温度を目標制御温度Ｔｔとし、検知温度の温度データＴｄと目標制御温度Ｔｔとを比較する。
ここで、温度データＴｄが目標制御温度Ｔｔより小さい（Ｔｄ＜Ｔｔ）場合、オーバーシュートは発生していないと判断し、ステップ４０６にてサーミスタ１７の制御温度を、通常通り第２制御温度のままで次の印刷を開始する。
一方、温度データＴｄが目標制御温度Ｔｔ以上（Ｔｄ≧Ｔｔ）の場合、オーバーシュートが発生していると判断して、ステップ４０４にて、加熱ロール１３の目標制御温度Ｔｔに加算するオーバーシュート発生時の補正温度量である補正温度Ｔｃを設定し、補正温度Ｔｃを目標制御温度Ｔｔに対して加算して補正目標制御温度Ｔｔｃを求める。そして、次のステップ４０５にて、サーミスタ１７の検出温度をチェックし、加熱ロール１３が補正目標制御温度Ｔｔｃまで上昇した事を確認できたら、ステップ４０６にて次の印刷を開始し、ウェブ７の搬送が開始される。
【００２２】
＜補正温度Ｔｃの決定方法１＞
上記図４のステップ４０４にて設定する補正温度Ｔｃは、例えば、温度データＴｄと印刷終了からの停止時間とに基づいて、予め作成しておいたデータテーブルから補正温度Ｔｃを決定することができる。表１は、上記補正温度Ｔｃを決定するときに用いるデータテーブルの一例を示している。表１のデータテーブルは例えば以下に示すように作成することができる。
【表１】
0005863010.tif 000002
【００２３】
図５は、上記構成の画像形成システムにおいて印刷を停止した後の加熱ロール１３の表面温度及びサーミスタ１７の検出温度の推移を示した実験結果のグラフである。図５中の縦軸が温度であり横軸が時間である。また、図５中の実線が加熱ロール１３の表面温度、点線がサーミスタ１７の検出温度を示している。なお、この実験においては、加熱ロール１３の表面温度を直接検知するため、赤外線温度計を用いている。また、第２制御温度は２００℃に設定している。
【００２４】
図５に示すように、印刷終了直後、加熱ロール１３の表面温度とサーミスタ１７の検出温度は２２０℃まで急上昇する。その後、加熱ロール１３の表面温度は直ぐに低下を始めるが、サーミスタ１７の検出温度は６０秒まで高温状態を維持し、その後低下を始める。１８０秒経過で第１制御温度まで低下し、加熱ヒータ１８がＯＮし始める。加熱ヒータ１８がＯＮ状態となると、次の印刷を実施した時の搬送開始における加熱ロール１３の温度低下量が小さくなり、本発明が解決しようとする課題で示したウェブ７の印刷停止時に第１の定着装置１０Ａやターンバー１９の中に停止していた部分の定着不良は発生しなくなる。
【００２５】
前述の表１は、第２制御温度を２００℃として、印刷終了から１８０秒までの停止時間に対する補正温度Ｔｃの設定値を示すデータテーブルの例である。データテーブルの縦方向における停止時間の設定は、加熱ヒータ１８がＯＮし始めて、印刷開始時の定着不良が発生しなくなる程度の停止時間まで設定してあることが望ましい。また、第２制御温度を目標制御温度Ｔｔとし、補正温度Ｔｃを加算した補正目標制御温度Ｔｔｃが、温度データＴｄを上回るように設定し、必ず加熱ヒータ１８がＯＮするように設定している。
【００２６】
また、表１の例では、例えば印刷停止からの時間が９０秒の時で温度データＴｄが２１０℃の場合、補正温度Ｔｃは＋１３℃となり、補正目標制御温度Ｔｔｃは２１３℃となる。また、加熱ロール１３の定着領域におけるウェブ７の通過部にあたる部分と、非通過部にあたる部分では、印刷中に必要な熱量が変わってくる。また、印刷領域の全域を使うようなウェブ７を用いた印刷の場合でも、例えばフロント側端部を加熱する加熱ヒータ１８Ａと、中央部を加熱する加熱ヒータ１８Ｂでは、定着に必要な補正量が違ってくる。一般に、両端部の熱が広がる影響で、中央部の方が高温となるため、必要な補正量は少なくなる。このことを考慮し、例えば加熱ヒータ１８Ａと加熱ヒータ１８Ｃに対しては補正温度Ｔｃの１００％である＋１３℃を、加熱ヒータ１８Ｂに対しては補正温度Ｔｃの５０％である＋６．５℃を補正温度Ｔｃと設定するように、各サーミスタ毎に補正率を設けてもよい。また、この補正率をウェブ７の幅設定毎に設けることで、ウェブ７の幅設定に対して最適な補正目標制御温度Ｔｔｃを設定可能となる。
【００２７】
＜補正温度の決定方法２＞
上記補正温度Ｔｃを決定する方法としては、上記温度データＴｄと停止時間とに基づいて補正温度Ｔｃを求める方法以外にも、例えば以下の方法がある。
非印刷中で加熱ロール１３と加圧ロール１４とが離れており、サーミスタ１７の検出温度が第１制御温度以上で、加熱ヒータ１８は全てＯＦＦ状態となっている場合、停止時間における加熱ロール１３の温度低下量は、加熱ロール１３の表面や芯金の素材、大きさ（幅、径）の条件により決まっており、ウェブ７の幅や種類による変化はほとんど影響がない。このため、加熱ロール１３の種類毎の温度低下量を予め調べておき、コントローラ２１から加熱ロール１３の種類の設定を行ったり、加熱ロール１３に設けられた識別手段を検知して加熱ロール１３の種類を特定したりすることで、加熱ヒータ１８がＯＦＦ状態での停止時間における、加熱ロール１３の表面温度の温度低下量を求めることができる。この温度低下量に基づいて、上記図４のステップ４０４における加熱ロール１３の表面温度から第２制御温度までに必要な加熱時間を計算し、サーミスタ１７の検出温度に対して加熱時間を確保できる補正温度Ｔｃを設定する方法もある。
【００２８】
［定着装置の温度制御例２］
次に、上記構成の印刷装置における定着装置の温度制御の他の例（温度制御例２）について説明する。
上記温度制御例１では、図４のステップ４０５にて補正目標制御温度Ｔｔｃまで加熱ロール１３の温度上昇を行っているが、温度検知手段（サーミスタ）の時定数を考慮すると、昇温時には、たとえば補正目標制御温度Ｔｔｃの１℃から２℃程度低い温度まで加熱ロール１３が温度上昇したことを確認したら、次のステップ４０６に移って印刷を開始してもよい。こうすることで、印刷開始のタイミングで、確実にサーミスタ１７の検出温度≧目標制御温度となり、最も熱量が必要な印刷開始のタイミングで加熱ヒータ１８がＯＦＦすることなく、安定してＯＮ状態を維持したまま次の印刷を開始することができる。
【００２９】
［定着装置の温度制御例３］
次に、上記構成の印刷装置における定着装置の温度制御の更に他の例（温度制御例３）について説明する。
印刷中の消費電力の増加や加熱ロール１３の寿命低下を考慮し、印刷中にウェブ７上の第２制御温度に対して補正が必要な部分が定着装置１０を通過すると、加算した補正目標制御温度Ｔｔｃは元の第２制御温度である目標制御温度Ｔｔまで下げることが望ましい。しかし、補正温度Ｔｃを一度にクリアしてしまうと、加熱ロール１３の目標制御温度が急激に低下することで加熱ヒータ１８がほとんどＯＦＦ状態となってしまい、加熱ロール１３の表面温度が急激に低下してしまう。そのまま第２制御温度より低下してしまい、補正温度Ｔｃをクリアした後の印刷部分で定着不良となってしまうおそれがある。従って、補正温度Ｔｃは印刷中に徐々に下げていき、最終的に目標制御温度Ｔｔまで下げるように制御することが望ましい。
【００３０】
図６は、上記構成の画像形成システムにおける定着装置の温度制御の更に他の例（温度制御例３）を示すフローチャートである。
図６において、制御部２０は、まず、ステップ６０１にて補正目標制御温度Ｔｔｃで印刷を開始すると、次のステップ６０２にて、補正温度Ｔｃで補正を実施する必要がある補正期間の終了をチェックする。補正期間は、上記課題で示したウェブ７に定着不良が発生する部分が定着装置１０内で加熱ロール１３と加圧ロール１４により定着されるまでの期間である。たとえば図３で説明したような二つの印刷装置１００Ａ，１００Ｂを用いてウェブ７の両面に印刷する画像形成システムの場合、第１の印刷装置１００Ａでは、ウェブ７の給紙部の矢印７Ａで示す位置から定着装置１０Ａで定着される矢印７Ｂで示す位置までの距離を印刷完了するまでの期間であり、第２の印刷装置では、ウェブ７の定着装置１０Ａで定着される矢印７Ｂで示す位置から定着装置１０Ｂで定着される矢印７Ｃで示す位置までの距離を印刷完了するまでの期間となる。印刷装置を１台のみで印刷する画像形成システムの場合は、第１の印刷装置１００Ａの場合と同様に、ウェブ７の給紙部から出たウェブ７が定着装置１０で定着されるまでの期間となる。
【００３１】
補正目標制御温度Ｔｔｃでの制御期間が終了すると、ステップ６０３にて補正目標制御温度Ｔｔｃを下げ始める。このとき、補正目標制御温度Ｔｔｃから一気に目標制御温度Ｔｔまで下げてしまうと、サーミスタ１７の検出温度が目標制御温度Ｔｔまで下がるまで、加熱ヒータ１８のＯＦＦ状態が継続してしまい、加熱ロール１３の表面温度は急激に低下してしまう。サーミスタ１７の検出温度には時定数があるため、実際の加熱ロール１３の表面温度が通常時の第２制御温度の制御中より低下してしまい、定着不良が発生するおそれがある。このため、加熱ヒータ１８を適度にＯＮ／ＯＦＦさせて制御しながら補正目標制御温度Ｔｔｃを目標制御温度Ｔｔまで下げていく必要がある。
【００３２】
まず、補正目標制御温度Ｔｔｃを現在のサーミスタ１７の検出温度まで下げる。または、加熱ヒータ１８のＯＦＦ状態が継続しても、実際の加熱ロール１３の表面温度が通常時の第２制御温度で制御中の表面温度より下回らない程度に、例えば補正温度Ｔｃのうち３℃程度なら一気に下げてもよい。
【００３３】
次に、ステップ６０４で補正目標制御温度Ｔｔｃが目標制御温度Ｔｔまで下がったかをチェックしながら、補正温度Ｔｃの残りをステップ６０５でゆっくりと段階的に下げていく。目標制御温度を下げる間隔や下げ幅は、例えば３秒間隔で０．２５℃ずつ下げるといったように、サーミスタ１７の検出温度が加熱ロール１３の表面温度の温度変化に十分追従する程度であることが望ましい。ステップ６０４にて、目標制御温度Ｔｔまで下がったことを確認すると、本温度制御は終了し、通常の印刷中の制御に戻る。
【００３４】
［定着装置の温度制御例４］
次に、上記構成の印刷装置における定着装置の温度制御の更に他の例（温度制御例４）について説明する。
本実施形態における定着装置の温度制御では、印刷開始のタイミングで加熱ヒータ１８がＯＮ状態となっており、加熱ロール１３の表面温度が上昇中で、ウェブ７が搬送開始する際の表面温度低下を抑えることが重要である。しかし、印刷制御装置（コントローラ）２１から印刷開始命令が受けて印刷装置１００が印刷開始の準備動作を行う際、画像調整動作等の制御が発生し、印刷準備時間が長くなる場合がある。補正温度Ｔｃの加熱に必要な時間をＴｈ、印刷準備時間をＴｐとしたとき、Ｔｐ＞Ｔｈとなってしまうと、加熱ロール１３の加熱が終了しても印刷が開始されず、印刷準備が完了して印刷開始しようとした時には、既に加熱ロール１３の表面温度が目的の温度から変化してしまっている場合がある。この問題を解決する方法として、予め印刷準備時間Ｔｐを計算し、印刷準備時間Ｔｐが加熱ロール１３の加熱に必要な時間Ｔｈを上回る場合は、加熱開始前に印刷準備時間Ｔｐに即したＷＡＩＴ時間Ｔｗを設定し、印刷開始のタイミングで加熱ロール１３の加熱が終了するように調整する制御方法がある。
【００３５】
上記印刷準備時間Ｔｐを計算するためには、予め印刷開始の準備動作で発生する画像調整動作などの複数の延長要因に対して、それぞれの要因の延長時間を決めておく必要がある。なお、準備動作の開始時に、延長時間が一定の範囲で確定していない延長要因に対しては、その要因で延長される最大の時間を延長時間とする。
【００３６】
図７は、上記構成の画像形成システムにおける定着装置の温度制御の更に他の例（温度制御例４）を示すフローチャートである。なお、図７のステップ７０１からステップ７０３は、図４で説明したステップ４０１からステップ４０３と同じ制御なので、説明を省略する。
図７において、制御部２０は、ステップ７０４にて補正温度Ｔｃを決定すると、現在のサーミスタ１７の検出温度から、補正目標制御温度Ｔｔｃまでの加熱に必要な時間Ｔｈを計算する。例えば、サーミスタ制御温度の補正間隔を１秒毎に０．５℃とした場合、図４のステップ４０２と同様にステップ７０２にてセットした温度データＴｄ及び補正目標制御温度Ｔｔｃから、Ｔｈ＝（Ｔｔｃ−Ｔｄ）／０．５となる。
【００３７】
次に、ステップ７０５で、制御部２０は、印刷準備時間Ｔｐを計算し、印刷準備時間Ｔｐと加熱時間Ｔｈを比較する。印刷準備時間Ｔｐは、何も延長要因が発生しなかった場合の標準の準備時間をベースとして、印刷開始の準備動作を行う際に、発生した延長要因の、それぞれの延長時間を加算して求める。
ここで、印刷準備時間Ｔｐ≦加熱時間Ｔｈとなる場合、ステップ７０６へ進み、以降は図４のステップ４０４からステップ４０６と同じ制御となる。
一方、印刷準備時間Ｔｐ＞加熱時間Ｔｈとなる場合、ステップ７０９にて、加熱を開始する前に必要なＷＡＩＴ時間Ｔｗを計算する。「Ｔｗ＝Ｔｐ−Ｔｈ」を計算することで、ＷＡＩＴ時間Ｔｗを求めることができる。
【００３８】
次に、制御部２０は、ステップ７１０で、ＷＡＩＴ時間が終了するまでカウントを行う。ＷＡＩＴ時間Ｔｗが終了すると、ステップ７０６へ進み、以降は図４のステップ４０４からステップ４０６と同じ制御となる。
【００３９】
以上の温度制御４を行うことで、印刷準備時間Ｔｐの変化に関係なく、ウェブ７の定着強度を維持することができるようになる。
【００４０】
図８は、上記温度制御例１から温度制御例４で説明した制御を組み合わせて実行した場合の一連の制御の流れを示すタイムチャートである。すなわち、図８は、縦軸を温度として、サーミスタ１７の目標制御温度の推移を示したタイムチャートである。なお、図８の制御では、第２制御温度を２００℃とし、補正温度Ｔｃを＋１５℃とする。また、印刷準備時間の延長要因が発生し、目標制御温度の補正前にＷＡＩＴ時間を置いた場合の制御とする。
図８のステップ８０１にて印刷制御装置（コントローラ）２１から印刷開始命令を受信すると、制御部２０は、印刷準備時間Ｔｐと補正温度Ｔｃの加熱に必要な時間Ｔｈとを比較し、必要なＷＡＩＴ時間を計算する。本制御例では、前述の温度制御例２で示したように、補正温度Ｔｃのうち印刷開始のタイミングで＋２℃を加算するため、＋１３℃の補正に必要な時間が、補正温度Ｔｃの加熱に必要な時間Ｔｈとなる。計算式Ｔｗ＝Ｔｐ−ＴｈによりＷＡＩＴ時間Ｔｗを計算し、ＷＡＩＴを開始する。
ステップ８０２にて印刷準備時間中のＷＡＩＴが終了すると、サーミスタ１７の目標制御温度に対して、補正温度Ｔｃの加算を開始する。ステップ８０３にて印刷準備時間が終了するまでに、目標制御温度を２１３℃まで上昇させる。
ステップ８０３にて印刷を開始すると、補正温度Ｔｃの残りである＋２℃を一気に加算し、目標制御温度を２１５℃として搬送を開始する。ステップ８０４にて補正期間が終了するまで、目標制御温度は２１５℃を維持する。
ステップ８０４にて補正期間が終了すると、前述の温度制御例３で示したように、まず目標制御温度のうち補正温度Ｔｃで補正した分から３℃を一気に下げる。その後、補正温度Ｔｃの残りをゆっくりと段階的に下げていく。
ステップ８０５にて目標制御温度から補正温度Ｔｃで補正した分が無くなり、通常の印刷中の目標制御温度と同じになると、本発明の制御を終了し、現行の印刷制御に戻る。
【００４１】
以上に説明したものは一例であり、本発明は、次の態様毎に特有の効果を奏する。
（態様Ａ）
複数の加熱ヒータ１８を内部に有する加熱ロール１３などの加熱回転部材の表面に非接触状態で対向するように加熱回転部材の回転軸方向に複数配置されたサーミスタ１７などの温度検知手段の検知温度に基づいて、複数の加熱ヒータ１８の温度制御を行う定着装置１００の温度制御方法であって、温度検知手段が加熱回転部材の目標制御温度Ｔｔ以上の温度Ｔｄを検知した場合に、その検知温度Ｔｄと前回の印刷停止から次の印刷開始までの停止時間とに基づいて補正温度Ｔｃを求め、次の印刷に必要な前記加熱ロールの目標制御温度Ｔｔに対して補正温度Ｔｃを加算して補正目標制御温度Ｔｔｃを求め、補正目標制御温度Ｔｔｃとなるように温度制御を行った後に次の印刷を開始する。
（態様Ａ’）
加熱ヒータ１８を内部に有する加熱ロール１３などの加熱回転部材と加熱回転部材の表面に非接触状態で対向するように配置されたサーミスタ１７などの温度検知手段とを有する定着装置１０をそれぞれ備えた第１の印刷装置１００Ａ及び第２の印刷装置１００Ｂを用いて、長尺に連続したウェブ７などの記録媒体に対して画像を印刷可能な画像形成システムであって、第１の印刷装置１００Ａ及び第２の印刷装置１００Ｂそれぞれの定着装置１０について、温度検知手段が加熱回転部材の目標制御温度Ｔｔ以上の温度Ｔｄを検知した場合に、その検知温度Ｔｄと前回の印刷停止から次の印刷開始までの停止時間とに基づいて補正温度Ｔｃを求め、次の印刷に必要な加熱回転部材の目標制御温度Ｔｔに対して補正温度Ｔｃを加算して補正目標制御温度Ｔｔｃを求め、補正目標制御温度Ｔｔｃとなるように温度制御を行った後に次の印刷を開始する制御部２０などの制御手段を備える。
これらの態様Ａ及びＡ’によれば、上記実施形態について説明したように、印刷停止後に定着装置１０の加熱回転部材の表面温度のオーバーシュートが発生し、温度検知手段が加熱回転部材の目標制御温度Ｔｔ以上の温度Ｔｄを検知した場合に、検知温度Ｔｄと前回の印刷停止から次の印刷開始までの停止時間とに基づいて補正温度Ｔｃを求める。ここで、印刷停止後からの時間経過に伴って検知温度Ｔｄと加熱回転部材の表面温度との温度差が大きくなるが、この温度差を反映させるように上記補正温度Ｔｃを求めることができる。この温度差を反映した補正温度Ｔｃを、次の印刷に必要な前記加熱ロールの目標制御温度Ｔｔに対して加算して補正目標制御温度Ｔｔｃを求め、その補正目標制御温度Ｔｔｃとなるように温度制御を行った後に次の印刷を開始する。従って、次の印刷において、加熱回転部材の表面温度を定着に十分な表面温度に維持され、定着不良を防止できる。
（態様Ｂ）
上記態様Ａにおいて、前記補正目標制御温度Ｔｔｃまでの加熱に必要な加熱時間Ｔｈより、印刷開始命令を受けてから印刷開始するまでの準備時間Ｔｐが長い場合、補正目標制御温度Ｔｔｃまでの加熱開始前に、準備時間Ｔｐに合わせた待ち時間ＴｗをＴｗ＝Ｔｐ−Ｔｈにより求め、印刷開始命令を受けてから待ち時間Ｔｗが経過した後に、加熱ロール１３などの加熱回転部材の加熱を開始する。
（態様Ｂ’）
上記態様Ａ’において、前記制御部２０などの制御手段は、補正目標制御温度Ｔｔｃまでの加熱に必要な加熱時間Ｔｈより、印刷開始命令を受けてから印刷開始するまでの準備時間Ｔｐが長い場合、補正目標制御温度Ｔｔｃまでの加熱開始前に、準備時間Ｔｐに合わせた待ち時間ＴｗをＴｗ＝Ｔｐ−Ｔｈにより求め、印刷開始命令を受けてから待ち時間Ｔｗが経過した後に、加熱回転部材の加熱を開始する。
これらの態様Ｂ及びＢ’によれば、上記実施形態について説明したように、印刷開始命令を受けてから印刷開始するまでの準備を行っているときに、印刷開始命令を受けてから、予め求めて於いた所定の待ち時間Ｔｗが経過した後に、加熱回転部材の加熱を開始する。これにより、次の印刷開始時における加熱回転部材の表面の過剰な温度上昇を防止することができるので、過剰な温度上昇による定着不良を防止できる。
（態様Ｃ）
上記態様Ａ又は態様Ｂにおいて、加熱ロール１３などの加熱回転部材の内部に、その加熱回転部材の回転軸方向における互いに異なる複数の領域をそれぞれ加熱するように加熱ヒータ１８Ａ，１８Ｂ，１８Ｃを複数備え、複数の加熱ヒータそれぞれに対応させて加熱回転部材の表面に非接触状態で対向するようにサーミスタ１７Ａ，１７Ｂ，１７Ｃなどの温度検知手段を複数配置し、前記複数の温度検知手段それぞれについて、ウェブ７などの印刷媒体の搬送方向と直交する方向における幅の設定ごとに補正率を設定し、補正温度Ｔｃと補正率とに基づいて、複数の温度検知手段それぞれに対して補正目標制御温度Ｔｔｃを計算する。
（態様Ｃ’）
上記態様Ａ’又は態様Ｂ’において、加熱ロール１３などの加熱回転部材の内部に、その加熱回転部材の回転軸方向における互いに異なる複数の領域をそれぞれ加熱するように加熱ヒータ１８Ａ，１８Ｂ，１８Ｃを複数備え、複数の加熱ヒータそれぞれに対応させて加熱回転部材の表面に非接触状態で対向するようにサーミスタ１７Ａ，１７Ｂ，１７Ｃなどの温度検知手段を複数配置し、制御部２０などの制御手段は、前記複数の温度検知手段それぞれについて、ウェブ７などの印刷媒体の搬送方向と直交する方向における幅の設定ごとに補正率を設定し、補正温度Ｔｃと補正率とに基づいて、複数の温度検知手段それぞれに対して補正目標制御温度Ｔｔｃを計算する。
これらの態様Ｃ及びＣ’によれば、上記実施形態について説明したように、ウェブ７などの印刷媒体の搬送方向と直交する方向における幅の設定が変化する場合でも、その印刷媒体の幅の設定に対して最適な補正目標制御温度Ｔｔｃを設定することができる。
（態様Ｄ’）
上記態様Ａ’乃至態様Ｃ’のいずれかの態様において、制御部２０などの制御手段は、第１の印刷装置１００Ａの定着装置１０Ａにおける加熱ロール１３などの加熱回転部材の温度制御を、ウェブ７などの記録媒体の供給部から第１の印刷装置１００Ａの定着装置１０Ａに至る搬送経路上にある印刷媒体の部分が定着される期間については、前記補正目標制御温度Ｔｔｃとなるように行い、その後、前記補正目標制御温度Ｔｔｃよりも低い前記目標制御温度Ｔｔになるように行う。
この態様Ｄ’によれば、上記実施形態について説明したように、画像形成システムの印刷媒体搬送方向の上流側に位置する第１の印刷装置１００Ａの定着装置１０Ａにおいて、記録媒体の供給部から第１の印刷装置１００Ａの定着装置１０Ａに至る搬送経路上にある印刷媒体の部分に発生する定着不良を防止できる。
（態様Ｅ’）
上記態様Ａ’乃至態様Ｄ’のいずれかの態様において、制御部２０などの制御手段は、第２の印刷装置１００Ｂの定着装置１０Ｂにおける加熱ロール１３などの加熱回転部材の温度制御を、第１の印刷装置１００Ａの定着装置１０Ａから第２の印刷装置１００Ｂの定着装置１０Ｂまでの搬送経路上にあるウェブ７などの印刷媒体の部分が定着される期間については、前記補正目標制御温度Ｔｔｃになるように行い、その後、前記補正目標制御温度Ｔｔｃよりも低い前記目標制御温度Ｔｔになるように行う。
この態様Ｅ’によれば、上記実施形態について説明したように、画像形成システムの印刷媒体搬送方向の下流側に位置する第２の印刷装置１００Ｂの定着装置１０Ｂにおいて、第１の印刷装置１００Ａの定着装置１０Ａから第２の印刷装置１００Ｂの定着装置１０Ｂまでの搬送経路上にある印刷媒体の部分に発生する定着不良を防止できる。
（態様Ｆ’）
上記態様Ａ’乃至態様Ｅ’のいずれかの態様において、制御部２０などの制御手段は、加熱ロール１３などの加熱回転部材の制御温度を前記補正目標制御温度Ｔｔｃから前記目標制御温度Ｔｔまで下げる際、加熱回転部材の表面の温度変化に対するサーミスタ１７などの温度検知手段の検知温度の時定数による遅延時間以上の間隔をもって段階的に制御温度を下げる。
この態様Ｆ’によれば、上記実施形態について説明したように、加熱ロール１３などの加熱回転部材の制御温度を前記補正目標制御温度Ｔｔｃから前記目標制御温度Ｔｔまで下げる際に、加熱回転部材の表面温度の急激な低下による定着不良を防止できる。
【符号の説明】
【００４２】
１  感光体
２  帯電器
３  光源
４  レーザービーム
５  現像装置
６  トナー
７  ウェブ
８  搬送装置
９  転写器
１０  定着装置
１０Ａ  第１の定着装置
１０Ｂ  第２の定着装置
１１  吸引装置
１２  プレヒータ
１３  加熱ロール
１４  加圧ロール
１５  プラー
１６  バッファプレート
１７  サーミスタ
１８  加熱ヒータ
１９  ターンバー
２０  制御部
２１  印刷制御装置（コントローラ）
１００  定着装置
１００Ａ  第１の定着装置
１００Ｂ  第２の定着装置
【先行技術文献】
【特許文献】
【００４３】
【特許文献１】特開２００８−２０６３０号公報
【特許文献２】特開２００６−２２７３７４号公報
【図１】
0005863010.tif 000003
【図２】
0005863010.tif 000004
【図３】
0005863010.tif 000005
【図４】
0005863010.tif 000006
【図５】
0005863010.tif 000007
【図６】
0005863010.tif 000008
【図７】
0005863010.tif 000009
【図８】
0005863010.tif 000010